(57)【要約】      （修正有）【課題】部品点数が少なく組立容易であり、製造コストが低くさらに、回転ロック時に作用する回転方向の力でロックが解除されない回転角度調整用の角度調整具を提供する。【解決手段】調節部材４が一方に回転すると浮動くさび部材６の径方向内側の縁部に当接することで浮動くさび部材の歯面と環状部材の歯面とは噛合状態となって本体部材２と環状部材との回転がロックされ、調節部材が逆方向に回転すると浮動くさび部材の径方向内側の縁部が離間して噛合状態が解除されて本体部材と環状部材との回転が可能となる、【選択図】図１
2018164650.tif 000002
【特許請求の範囲】
【請求項１】
所定の軸心周りに回転する略円板状の本体部材と、前記軸心周りに回転し本体部材の厚み方向に重ねられ内周側に歯面を設けた環状部材との回転角度を調整する角度調整具であって、
前記本体部材の厚み方向一方側の表面に重ねられて前記環状部材の径方向内側で前記軸心周りに回転し、軸心から径方向外縁部までの距離が異なる調節部材と、
前記本体部の一方側の表面上で前記本体部に設けられた凹部分に受容され、径方向に摺動可能であるが周方向の移動が制限される、径方向外側の縁部に前記環状部材の歯面と噛合する歯面を有する浮動くさび部材と、
を備え、
前記調節部材が一方に回転すると前記浮動くさび部材の径方向内側の縁部に当接することで該浮動くさび部材の歯面と前記環状部材の歯面とは噛合状態となって前記本体部材と前記環状部材との回転がロックされ、前記調節部材が逆方向に回転すると前記浮動くさび部材の径方向内側の縁部が離間して前記噛合状態が解除されて前記本体部材と前記環状部材との回転が可能となる、
ことを特徴とする角度調整具。
【請求項２】
前記浮動くさび部材は、前記本体部材の軸心周りに沿って複数備えられる、ことを特徴とする、請求項１に記載の角度調整具。
【請求項３】
前記浮動くさび部材の径方向内側の縁部は、前記逆方向への回転方向側が、切削処理されていることを特徴とする、請求項１又は２に記載の角度調整具。
【請求項４】
前記調節部材は、前記浮動くさびの径方向内側の縁部よりも遠方に、径方向に突出する突出部を備え、前記突出部は、前記一方への回転方向への付勢手段を有する、ことを特徴とする、請求項１又は２に記載の角度調整具。
【請求項５】
前記浮動くさび部材は、径方向内側方向への付勢する弾性手段を有する、ことを特徴とする、請求項１〜４のいずれか１項に記載の角度調整具。
【発明の詳細な説明】
【技術分野】
【０００１】
本発明は、リクライナの回転角度を調節するための角度調整具に関する。
【背景技術】
【０００２】
車両用シート等においては、その背もたれ（リクライナ）の角度調節に用いられる、回転角度を調節するための角度調整具が採用される。
【０００３】
従来例として、例えば特許文献１に示される角度調整具は、回転ロック時における半径方向のガタをなくさせるために、１つのポールが、円周方向に斜めに２分割された形状とされ、その操作カムにより半径方向の外側へと押し出される移動により分割された各パーツが互いに相反する円周方向に動いてその幅を広げガイドに対する円周方向のガタ付きをなくした状態となって前記ラチェットの内周歯と噛合する構成とされている。
【０００４】
しかしながら、上記の角度調整具では、回転ロック時に回転方向の力に作用すると、上記構成から円周方向斜めへの力が発生し、これに伴い、操作カムに半径方向内側への力が加わり、結果として操作カムの回転方向への力が発生し、ロックが解除されてしまう場合があった。また、この角度調整具では、ポールと噛合する形状の操作カム及びポール等、複雑な成形や組み立てを要するため、製造コストが高いという問題もあった。
【先行技術文献】
【特許文献】
【０００５】
【特許文献１】特開２０１３−０２２４０９号公報
【発明の概要】
【発明が解決しようとする課題】
【０００６】
上述の事情を鑑みて、本発明は、部品点数が少なく組立容易であり、製造コストが低くさらに、回転ロック時に作用する回転方向の力でロックが解除されない回転角度調整用の角度調整具を提供することを目的とする。
【課題を解決するための手段】
【０００７】
上述の課題を解決するため、本発明は、所定の軸心周りに回転する略円板状の本体部材と、前記軸心周りに回転し本体部材の厚み方向に重ねられ内周側に歯面を設けた環状部材との回転角度を調整する角度調整具であって、前記本体部材の厚み方向一方側の表面に重ねられて前記環状部材の径方向内側で前記軸心周りに回転し、軸心から径方向外縁部までの距離が異なる調節部材と、前記本体部の一方側の表面上で前記本体部に設けられた凹部分に受容され、径方向に摺動可能であるが周方向の移動が制限される、径方向外側の縁部に前記環状部材の歯面と噛合する歯面を有する浮動くさび部材と、を備え、前記調節部材が一方に回転すると前記浮動くさび部材の径方向内側の縁部に当接することで該浮動くさび部材の歯面と前記環状部材の歯面とは噛合状態となって前記本体部材と前記環状部材との回転がロックされ、前記調節部材が逆方向に回転すると前記浮動くさび部材の径方向内側の縁部が離間して前記噛合状態が解除されて前記本体部材と前記環状部材との回転が可能となる、ことを特徴とする。
【０００８】
上記の構成の角度調整具によると、本体部材上に配置された調節部材、浮動くさび部材、及び環状部材において、調節部材を回転させることで調節部材と浮動くさび部材との当接及び離間が行われる。調節部材と浮動くさび部材とを当接させた場合は、浮動くさび部材が環状部材方向に移動し、浮動くさび部材と環状部材とが噛み合い、浮動くさび部材は本体部材により周方向の移動が制限されるため、環状部材と本体部材との回転が制限される。すなわち、当接時には環状部材と本体部材とが協同回転する。一方で、調節部材と浮動くさび部材とを離間させた場合は、浮動くさび部材に調節部材からの押圧力はかからないため、浮動くさび部材と環状部材とは噛み合わず、環状部材と本体部材との回転が可能となる。従って、調節部材の回転操作によって、本体部材と環状部材とを所望の回転角度で位置決め及び解除することができる。
【０００９】
環状部材と本体部材とをロックする調節部材の回転力は、浮動くさび部材を押圧し移動させる程度であれば良い。また、調節部材と浮動くさび部材との当接時に浮動くさび部材が受ける周方向の力を本体部材が受け止めることにより、浮動くさび部材の不要な周方向への移動を抑えることができる。
【００１０】
前記浮動くさび部材は、前記本体部材の軸心周りに沿って複数備えられても良い。また、設けられる前記浮動くさび部材は、奇数であり、周方向に等間隔で配置されることが望ましい。
【００１１】
この角度調整具によると、ロック状態の場合に、環状部材に対して、複数の浮動くさび部材が噛み合うため、環状部材と本体部材との固定力を向上させることができる。また、浮動くさび部材を奇数個周方向に等間隔で設けることで、ロック時に環状部材に加わる複数の力が均等に軸心方向に集まるため、滑らかなロック解除が可能となり、使用に際して環状部材の疲労が減少する。
【００１２】
前記浮動くさび部材の径方向内側の縁部は、前記逆方向への回転方向側が、切削処理されていることが好ましい。
【００１３】
この角度調整具では、調節部材が逆方向すなわちロック解除方向に回転される場合に、調節部材と浮動くさび部材との距離の確保ひいては、浮動くさび部材と環状部材との離間が速やかに行われ、ロック解除の操作性が向上する。
【００１４】
前記調節部材は、前記浮動くさびの径方向内側の縁部よりも遠方に、径方向に突出する突出部を備え、前記突出部は、前記一方への回転方向への付勢手段を有することが好ましい。
【００１５】
この角度調整具では、通常時は調節部材が一方向すなわちロック方向に回転させておき、調節部材を回転させた場合にロックを解除できるようにすることで、ロック時に本体部材と環状部材とが不測に回転することを防止することができる。また同時に、調節部材を所定角度以上回転させると、調節部材の突出部が浮動くさび部材又は本体部材に当接するため、調節部材に不測の回転力が加わった場合でも所定角度以上の回転を防止することができる。
【００１６】
前記浮動くさび部材は、径方向内側方向への付勢する弾性手段を有しても良い。
【００１７】
この角度調整具によると、調節部材をロック解除方向に回転させた場合に、浮動くさび部材と環状部材とが速やかに離間するため、操作性の高い本体部材と環状部材とのロック解除を実現できる。
【発明の効果】
【００１８】
本発明によれば、部品点数が少なく組立容易であり、製造コストが低くさらに、回転ロック時に作用する回転方向の力でロックが解除されない回転角度調整用の角度調整具が提供される。
【図面の簡単な説明】
【００１９】
【図１】本発明の角度調整具の実施例の正面図
【図２】本発明の角度調整具の使用時の実施例の正面図
【図３】本発明の角度調整具において加わる力の関係性を示す模式図
【発明を実施するための形態】
【００２０】
以下に、本発明の角度調整具の実施形態の代表例を、図を参照しながら詳細に説明する。なお、本発明の角度調整具は図示されるものに限られず、また図示及び説明の内容を一般的な範囲で改変したものをも含むことはいうまでもない。また各図は、容易な理解のために、必要に応じて寸法、比又は数を誇張して表示している場合もある。
【００２１】
図１は、本願発明の本発明の角度調整具の実施例の斜視図を示す。本発明の角度調整具１は、本体部材２と、調節部材４と、浮動くさび部材６と、スプリング８とで構成され、角度調整具１によって図示しない環状部材の回転をロック又はロック解除する。
【００２２】
本体部材２は、中央に円状の溝である台部１０を備える円状の板部材であり、さらに台部１０の中央には溝部１２が形成され、溝部１２は中央から６方向に略四角形状の溝部１２ａ〜ｆが突出する＊形状の溝である。溝部１２ａ〜ｆはそれぞれ中心を軸に３０°ごとに配置され、いずれも突出方向の辺が、台部１０の外周方向に沿って緩やかに湾曲しており、溝部１２ａ、ｃ、ｅよりも溝部１２ｂ、ｄ、ｆが大きい幅を備える。また、溝部１２の中心には、本体部材１を貫通する四角穴１４が配設されており、溝部１２ｂ、ｄ、ｆそれぞれの台部１０側中央にはスプリング留め１６ａと、台部１０側中央から反時計回り方向側にはスプリング留め１６ｂが配設されている。このスプリング留め１６ａ、ｂは、溝部１２ｂ、ｄ、ｆに対して突出する細い略六角筒形状である。また、本体部材２の外周に６つのネジ穴１８ａ及び溝部１２ｂ、ｄ、ｆのそれぞれの中央にネジ穴ｂ１８ｂが配設されている。ネジ穴１８ａ、ｂによって、ネジを用いて、本角度調整具１と目的に応じた他部材（例えばリクライニングシートの台座部）とを連結することができる。
【００２３】
調節部材４は、３つのフック部２０と３つの押し込み部２２とを備え１２０°の対称性を有する部材であり、中心部には円状穴２４が配設される。円状穴２４の外周内側には２つの固定部２６が配設されている。調節部材４は、本体部材２の中心軸（溝部１２の中心軸）と円状穴２４の中心軸とが一致するように溝部１２に配置される。フック部２０は軸心反時計回り方向に湾曲しながら突出する形状であり、押し込み部２２はフック部２０に対して軸心時計回り側に配置され、図１に示すように緩やかに突出する形状である。
【００２４】
３つの浮動くさび部材６は、それぞれ溝部１２ａ、ｃ、ｅの幅と同様の幅を備える略板形状であり、幅方向を揃えて溝部１２ａ、ｃ、ｅに、本体部材２に受容されるように配設される。浮動くさび部材６は、溝部１２ａ、ｃ、ｅの端辺と調節部材４との間に遊びを有して配設される。従って、浮動くさび部材６は、本体部材２に対して、周方向の移動が制限され、径方向には摺動可能である。溝部１２ａ、ｃ、ｅの端辺に近接する浮動くさび部材６の端辺は、図示しない環状部材３２の歯形状と噛合する歯部２８を形成し、台部１０の外周方向に沿って緩やかに湾曲している。他の端辺（当接部３０）は、反時計回り方向側の端部が切削され緩やかな湾曲を形成する。また、浮動くさび部材６の厚みは、溝部１２ａ、ｃ、ｅの台部１０に対する深さよりも大きく、浮動くさび部材６の歯部２８の厚みの一部または全部が、紙面手前方向を上として、溝部１２ａ、ｃ、ｅの上部よりも上かつ台部１０の上部よりも下に存在する。調節部材４が時計回りに所定角度以上回転されると、フック部が浮動くさび部材６に当接し、それ以上の回転を防止する。
【００２５】
３つのスプリング８は、それぞれ調節部材４の３つのフック部２０に引っ掛けるように配置され、スプリング留め１６ａにらせん形状に巻きつけられつつ、端部がスプリング留め１６ｂに、図示するように溝部１２の中心側から当接されている。３つのスプリング８が調節部材４に対して付勢力を有し、結果として、調節部材４を時計回りに回転させる付勢力を形成する。図１の実施例では、ねじりコイルばねを採用するが、調節部材に回転方向の勢力を付するものであれば広く採用される。
【００２６】
なお図１の実施例では、３つの浮動くさび部材６を備えるものを示したが、１以上であれば良く、２つや４つ以上の場合においては、溝１４の形状や調節部材４の対称性（フック部２０や押し込み部２２の個数）を適宜変更することができる。
【００２７】
次に、本発明の回転調整機構の実施例の実際の動作について図２も参照して説明する。本回転調整機構１の使用時には、図示しないが、例えば、四角穴１４及び円状穴２４を貫通する筒状部材を固定部２６に固定させ、筒状部材を回転軸として、手力又は操作に伴って調節部材４を回転させることができる。図２では、本角度調整具１に環状部材３２を配置した図を示す。環状部材３２は、内周から内側に向かって歯状部３４を形成する環状の部材であり、台部１０の上部かつ本体部材２と浮動くさび部材６との間に環状部分が挟まるように配置される。環状部材３２は、台部１０の外経と略同一の外径を有し、歯状部３４は、浮動くさび部材６の歯部２８と噛合することができる形状である。歯状部３４が、浮動くさび部材６の歯部２８と噛合していない状態では、環状部材３２は、台部１０上で、自由に回転することができる。
【００２８】
スプリング８の付勢力によって、調節部材４が時計回りへの回転力を受けているため、回転を加えない状態では、調節部材４の押し込み部２２が、浮動くさび部材６の当接部３０に当接し、径方向内側から外側への押圧力が浮動くさび部材６にかかり、浮動くさび部材６は溝部１２ａ、ｃ、ｅの外側端辺方向へと押し出される。すると、浮動くさび部材６の歯部２８と環状部材３２の歯状部３４とが噛合し、環状部材３２は、浮動くさび部材６との周方向の回転が協同するため、浮動くさび部材６の周方向の移動を受容して協同する台部１０（本角度調整具１）との回転をロックされる。一方で、調節部材４を反時計回りに回転させる力を加えると、押圧力が減少し、調節部材４と浮動くさび部材６とが離間され、浮動くさび部材６は溝部１２ａ、ｃ、ｅの長手方向において遊びができる。この際、浮動くさび部材６の当接部３０の湾曲形成により、調節部材４と浮動くさび部材６との離間が速やかに行われる。すると、浮動くさび部材６の歯部２８と環状部材３２の歯状部３４とが離れ、環状部材３２は、台部１０（本角度調整具１）との回転が可能となる。押圧力が減少した場合に、浮動くさび部材６が調節部材４側に移動して、速やかに環状部材３２の回転が可能となるように浮動くさび部材６に径方向内側への付勢力を設けても良い。例えば、浮動くさび部材６に略矩形の穴を設け、浮動くさび部材６を弾性体とする、又はスプリングで調節部材の軸心周囲と浮動くさび部材６とを繋ぐことが可能である。該構成により、調節部材４の回転移動によって環状部材３２の回転のロック及びロック解除を行うことが可能である。
【００２９】
次に、図３を参照して、本角度調整具においてロック時に加わる力の関係について説明する。図３は、ロック時の１つの浮動くさび部材６、環状部材３２、及び調節部材４を取り出した模式図であり、ロック時には、調節部材４の押し込み部２２が、浮動くさび部材６の当接部３０に当接し、図３矢印Ａ方向に押圧力が加わっている。また、浮動くさび部材６の歯部２８と環状部材３２の歯状部３４とが噛合している。この状態で、環状部材３２に回転させる力（図３矢印Ｂ方向）が働くと、浮動くさび部材６の歯部２８には、図３矢印Ｃ方向の力が加わる。ここでＡとＣとは、略垂直とみなすことができるため、Ｃ方向の力は、Ａ方向の力（押圧力）の強さに影響を与えず、結果として、押圧力を引き起こす調節部材４の回転に影響を与えない。従って、例えロック時において環状部材３２を回転させるような力が働いたとしても、付勢力も含め調節部材４を回転させるために必要な力の強さは該力によらず、ロックが解除することはない。
【符号の説明】
【００３０】
１      角度調整具
２      本体部材
４      調節部材
６      浮動くさび部材
８      スプリング
１０    台部
１２    溝部
１４    四角穴
１６    スプリング留め
１８    ネジ穴
２０    フック部
２２    押し込み部
２４    円状穴
２６    固定部
２８    歯部
３０    当接部
３２    環状部材
３４    歯状部
【図１】
2018164650.tif 000003
【図２】
2018164650.tif 000004
【図３】
2018164650.tif 000005